(57)【要約】      （修正有）【課題】額縁の軽量化と強度が図れ、かつ美麗で堅牢な額縁の棹部を提供する。【解決手段】額縁Ａの棹部１０は、長さ方向全長にわたって内部に中空部１３を設け、外表面を形成する硬質合成樹脂部１１と硬質発泡樹脂部１２とからなる一体成形の２層構造をなす。裏面側に中空部１３を長さ方向全長にわたって開口する開口部１４を設け、該開口部１４は、ライナー部ｂ側の開口端部にドロ足部ａを取り付けるための第一肉厚部１５を形成し、他方の開口端部に吊り金具ｆを取り付けるための第二肉厚部１６を形成し、両肉厚部の開口端に嵌合凹部１５’、１６’を設けて蓋材１７を嵌入可能に形成する。【選択図】図３
0003159933.tif 000002
【実用新案登録請求の範囲】
【請求項１】
内部に中空部を有し、外表面を形成する硬質合成樹脂部と硬質発泡樹脂部とからなる一体成形の２層構造をなすことを特徴とする額縁の棹部。
【請求項２】
裏面側に棹部の中空部を開口する開口部を設けたことを特徴とする請求項１に記載の額縁の棹部。
【請求項３】
裏面側に肉厚部を設けたことを特徴とする請求項１又は２に記載の額物の棹部。
【請求項４】
長さ方向全長にわたって内部に中空部を設け、
外表面を形成する硬質合成樹脂部と硬質発泡樹脂部とからなる一体成形の２層構造をなし、
裏面側に中空部を長さ方向全長にわたって開口する開口部を設け、
該開口部は、ライナー部側の開口端部にドロ足部を取り付けるための第一肉厚部を形成し、他方の開口端部に吊り金具を取り付けるための第二肉厚部を形成し、両肉厚部の開口端に嵌合凹部を設けて蓋材を嵌入可能に形成した
ことを特徴とする額縁の棹部。
【考案の詳細な説明】
【技術分野】
【０００１】
本考案は、絵画等の平面体を飾るための額縁における棹部に関し、特に軽量化した額縁の棹部に関する。
【背景技術】
【０００２】
従来より棹部とドロ足部とライナー部とを有する額縁が用いられており、この額縁については種々の改良がなされている。特許文献１に示すものは、本来別々に形成されていた棹部、ドロ足部及びとライナー部を一体に成形することにより、組立工程を簡単化し、その結果、コストの低減を図ったものである。
【０００３】
また、特許文献２に示すものは、上記特許文献１に示される額縁に対して、中空のドロ足部を別に成形して棹部に取り付け、また、ライナー部を中空にすることにより、材料を削減してコストを抑え、額縁の軽量化を図ったものである。
【０００４】
さらに、特許文献３に示すものは、発泡プラスチック製の枠材に発泡プラスチックよりも高い耐熱性を有するプラスチック製の外装層を形成したものである。
【先行技術文献】
【特許文献】
【０００５】
【特許文献１】実用新案登録第３０８４７５１号公報
【特許文献２】特開２００８−１６７８１２号公報
【特許文献３】実用新案登録第３０４３５６０号公報
【考案の概要】
【考案が解決しようとする課題】
【０００６】
しかしながら、特許文献１に示される額縁は、棹部、ドロ足部及びライナー部を一体に組み立てる工程が不要となるが、材料コストが大きく、かつ、額縁の重量が増大する欠点がある。また、特許文献２に示されるものは、材料低減によりコストダウン及び軽量化が図れるもののドロ足部及びライナー部は額縁を保形し強度を維持する機能を有しているため、ドロ足部及びとライナー部を中空にすると額縁の強度が低下し、変形するおそれがある。さらに、特許文献３に示されるものは、特に葬儀用の額縁に適することを目的としたものであり、遺影を入れた額縁に照明光が長時間にわたって直接照射される結果、額縁が高温になることにより額縁が変形することに対して耐熱性を高めたものである。
【０００７】
そこで、本考案者は、鋭意研究を重ね、額縁の軽量化と強度が図れ、かつ美麗で堅牢な額縁の棹部を考案した。
【課題を解決するための手段】
【０００８】
本考案に係る額縁の棹部は、内部に中空部を有し、外表面を形成する硬質合成樹脂部と硬質発泡樹脂部とからなる一体成形の２層構造をなすことを特徴とするものである。
【０００９】
また、上記の構成に加えて、裏面側に棹部の中空部を開口する開口部を設けた構成としてもよい。
【００１０】
さらに、上記の構成に加えて、裏面側に肉厚部を設けた構成としてもよい。
【００１１】
さらにまた、本考案に係る額縁の棹部は、長さ方向全長にわたって内部に中空部を設け、外表面を形成する硬質合成樹脂部と硬質発泡樹脂部とからなる一体成形の２層構造をなし、裏面側に中空部を長さ方向全長にわたって開口する開口部を設け、該開口部は、ライナー部側の開口端部にドロ足部を取り付けるための第一肉厚部を形成し、他方の開口端部に吊り金具を取り付けるための第二肉厚部を形成し、両肉厚部の開口端に嵌合凹部を設けて蓋材を嵌入可能に形成した構成とすることが望ましい。
【考案の効果】
【００１２】
本考案に係る額縁の棹部は、上記の構成よりなるので、額縁の最も大きい体積を有する棹部において、これを中空に形成することにより軽量化が図れる。また、棹部は額縁の構成材料としては、保形性よりも装飾的な効果が大きいため中空に形成しても額縁全体の強度に対する影響は少ない。また、本考案に係る額縁の棹部は、その外表面を硬質合成樹脂で形成しているので、傷がつき難く、美麗で堅牢度の高いものとなり、かつ、額縁の強度を高める機能を果たす。さらに、棹部を木製で作成した場合には、その外表面を削り加工した後、目止め材の擦り込みや下地塗料の塗布等により下地加工して表面を滑面にした上で、表面塗装を施していたが、本考案は、外表面を硬質合成樹脂で形成しているので、これにより外表面が硬化され、かつ、鏡面化される結果、木製品に使用する目止め材や下地塗料が不要となり、これら材料分についても軽量化され、かつ、コストダウンとなる利点がある。
【００１３】
また、額縁棹部の裏面側に開口部を有する構成としたことで、中空部が予定された形状に押出成形し易く、また、開口部に蓋材を嵌入することにより蓋材の幅まで開口部を押し広げることが可能となり、棹部の形状の微調整が可能となる。
【００１４】
さらに、額縁棹部の裏面側に肉厚部を設けることにより棹部の強度が増すと共に、該肉厚部に釘等を打ち込んでドロ足部や吊り金具等を固定するのに役立つ効果がある。また、当該肉厚部に蓋材を嵌入させるための嵌合凹部を形成しやすくなる利点がある。
【図面の簡単な説明】
【００１５】
【図１】本考案の実施例を示し、（ａ）は額縁の正面図であり、（ｂ）は額縁の右側面図である。
【図２】額縁に内蔵される構成部品の一部を取り出して表した平面図である。
【図３】額縁の右側面の上部拡大端面図である。
【図４】本考案の変更例を示し、額縁の右側面の上部拡大端面図である。
【考案を実施するための形態】
【００１６】
以下に本考案の好適な実施例１を図１〜図３に基いて、また実施例２を図４に基づいて詳細に説明する。
【実施例１】
【００１７】
図１〜３においてＡは額縁を示し、額縁Ａは、主として棹部１０、ドロ足部ａ及びライナー部ｂとから構成される。本実施例における棹部１０は一般に「かまぼこ型」と呼ばれるものである。その他に額縁Ａの必要な構成部品として、額縁Ａの裏面を構成する裏板ｃ、額縁Ａの表面を構成するアクリル樹脂板ｄ、裏板ｃを額縁Ａに固定するためのいわゆる「トンボ」と呼ばれる止め金具ｅ、額縁Ａを吊り下げるための吊り金具ｆ等がある。
【００１８】
本実施例における額縁Ａの棹部１０は、図３に示すように、その外表面を形成する無発泡ポリスチレン製の硬質合成樹脂部１１と発泡ポリスチレン製の硬質発泡樹脂部１２とからなる一体成形の２層構造のものであって、その内部は中空部１３となっている。この中空部１３は、棹部１０の長さ方向全長にわたって形成されるものである。また、棹部１０の裏面側（図３においては右側）には開口部１４が形成されている。この開口部１４も棹部１０の長さ方向全長にわたって同幅に形成されており、この開口部１４により棹部１０の中空部１３が開口している。このように開口部１４を形成する目的は、棹部１０を押出成形する際に、中空部１３を設計どおりに形成するためである。
【００１９】
上記した額縁Ａの棹部１０は、額縁Ａの最も大きい体積を有する棹部１０において、中空部１３を形成したことにより棹部１０が軽量化され、したがって、額縁Ａ全体の重量が軽量化される。また、額縁Ａにおける棹部１０の役割の１つとして、保形性よりも装飾的な効果が増大させることにあるため、中空に形成しても額縁Ａ全体の強度に対する影響は少ない。また、本実施例のように、棹部１０は、硬質合成樹脂部１１により、その外表面が被覆されているので、傷がつき難く、美麗で堅牢度の高いものとなり、また、この硬質合成樹脂部１１は、額縁Ａの強度を高める機能を果たす。
【００２０】
棹部１０の裏側である前記開口部１４の開口端部には肉厚部が形成されている。該肉厚部は、ライナー部ｂ側の開口端部の第一肉厚部１５と他方の開口端部の第二肉厚部１６とからなる。第一肉厚部１５はドロ足部ａを取り付けるためであり、図においてｇは釘を示しており、当該釘ｇをドロ足部ａの欠損部ａ１から棹部１０の第一肉厚部１５に打ち込むことにより、ドロ足部ａが棹部１０に取り付けられる。一方、第二肉厚部１６は吊り金具ｆを取り付けるためのものである。このように第一肉厚部１５及び第二肉厚部１６を形成したことにより、ドロ足部ａ及び吊り金具ｆを容易にかつ丈夫に取り付けることができる。また、棹部１０の前記開口部１４の開口端部に肉厚部を形成したことにより棹部１０の強度を増大させる効果がある。
【００２１】
また、前記第一肉厚部１５及び第二肉厚部１６には、外角側を段落ちして形成した嵌合凹部１５’及び嵌合凹部１６’が形成されている。この嵌合凹部１５’、１６’の形成は、前記開口部１４の開口端部を肉厚に形成したことにより達せられるものである。この嵌合凹部１５’、１６’は、木製よりなる蓋材１７を嵌入させるためのものであり、蓋材１７を嵌入することにより前記開口部１４を閉塞することができる。なお、嵌合凹部１５’、１６’は、本実施例の構造に限定されるものではなく、蟻溝状に形成してもよく、また内角側を段落ちして形成してもよい。また、蓋材１７も木製に限られるものではない。このように、開口部１４に蓋材１７を嵌入させることにより棹部１０の幅を微調整することができる。すなわち、開口部１４の開口幅に対して蓋材１７を無理ばめ的に嵌入させる必要があるために蓋材１７は若干幅広に形成されており、また、中空部１３を形成したことにより両開口端部が弾性変形的に拡開でき、復元力が働くことによって蓋材１７を無理ばめ的に嵌入させることが可能となるので、蓋材１７の幅を調整することにより開口部１４の拡開幅が調整でき、したがって棹部１０の幅が微調整することが可能となる。
【実施例２】
【００２２】
本実施例は、実施例１における額縁Ａの棹部１０の変更例である。したがって、実施例１における額縁Ａを本実施例においては額縁Ｂと表し、棹部に関係する符号は本実施例においては変更し、棹部に関係しない符号は、実施例１と実施例２とにおいて共通のものを使用する。
【００２３】
図４において、額縁Ｂは、棹部１１０と実施例１と同様にドロ足部ａ及びライナー部ｂとから構成される。本実施例における棹部１１０は一般に「内流れ」と呼ばれるものである。その他の額縁Ｂの必要な構成部品として、額縁Ｂの裏面を構成する裏板ｃ、額縁Ｂの表面を構成するアクリル樹脂板ｄ、裏板ｃを額縁Ｂに固定するためのいわゆる「トンボ」と呼ばれる止め金具ｅ、額縁Ｂを吊り下げるための吊り金具ｆ等がある。
【００２４】
本実施例における額縁Ｂの棹部１１０は、その外表面を形成する無発泡ポリスチレン製の硬質合成樹脂部１１１と発泡ポリスチレン製の硬質発泡樹脂部１１２とからなる一体成形の２層構造のものであり、その内部は中空部１１３となっている。この中空部１１３は、棹部１１０の長さ方向全長にわたって形成されている。また、棹部１１０の裏面側（図４においては右側）には開口部１１４が形成されており、この開口部１１４も棹部１１０の長さ方向全長にわたって同幅に形成され、この開口部１１４により棹部１１０の中空部１１３が開口している。このように開口部１１４を形成する目的は、棹部１１０を押出成形する際に、中空部１１３を設計どおりに形成するためである。
【００２５】
上記した額縁Ｂの棹部１１０は、額縁Ｂの最も大きい体積を有する棹部１１０において、中空部１１３を形成したことにより棹部１１０が軽量化され、したがって、額縁Ｂ全体の重量が軽量化される。また、額縁Ｂにおける棹部１１０の役割の１つとして、保形性よりも装飾的な効果が増大させることにあるため、中空に形成しても額縁Ｂ全体の強度に対する影響は少ない。また、本実施例にのように、棹部１１０は、硬質合成樹脂部１１１により、その外表面が被覆されているので、傷がつき難く、美麗で堅牢度の高いものとなり、また、この硬質合成樹脂部１１１は、額縁Ｂの強度を高める機能を果たす。
【００２６】
棹部１１０の裏側である前記開口部１１４の開口端部には肉厚部が形成されている。該肉厚部は、ライナー部ｂ側の開口端部の第一肉厚部１１５と他方の開口端部の第二肉厚部１１６とからなる。第一肉厚部１１５はドロ足部ａを取り付けるためであり、図においてｇは釘を示しており、当該釘ｇをドロ足部ａの欠損部ａ１から棹部１１０の第一肉厚部１１５に打ち込むことにより、ドロ足部ａが棹部１１０に取り付けられる。一方、第二肉厚部１１６は吊り金具ｆを取り付けるためのものである。このように第一肉厚部１１５及び第二肉厚部１１６を形成したことにより、ドロ足部ａ及び吊り金具ｆを容易にかつ丈夫に取り付けることができる。また、棹部１１０の前記開口部１１４の開口端部に肉厚部を形成したことにより棹部１１０の強度を増大させる効果がある。
【００２７】
また、前記第一肉厚部１１５及び第二肉厚部１１６には、外角部を段落ちして形成した嵌合凹部１１５’及び嵌合凹部１１６’が形成されている。この嵌合凹部１１５’、１１６’の形成は、前記開口部１１４の開口端部を肉厚に形成したことにより達せられるものである。この嵌合凹部１１５’、１１６’は、木製よりなる蓋材１１７を嵌入させるためのものであり、蓋材１１７を嵌入することにより前記開口部１１４が閉塞される。このように、開口部１１４に蓋材１１７を嵌入させることにより棹部１１０の幅を微調整することができる。すなわち、開口部１１４の開口幅に対して蓋材１１７を無理ばめ的に嵌入させる必要があるために蓋材１１７は若干幅広に形成されており、蓋材１１７の幅を調整することにより棹部１１０の幅が広がる方向に微調整することが可能となる。
【符号の説明】
【００２８】
Ａ・・・額縁              １０・・棹部
１１・・硬質合成樹脂部    １２・・硬質発泡樹脂部
１３・・中空部            １４・・開口部
１５・・第一肉厚部        １５’・嵌合凹部
１６・・第二肉厚部        １６’・嵌合凹部
１７・・蓋材
Ｂ・・・額縁              １１０・・棹部
１１１・・硬質合成樹脂部  １１２・・硬質発泡樹脂部
１１３・・中空部          １１４・・開口部
１１５・・第一肉厚部      １１５’・嵌合凹部
１１６・・第二肉厚部      １１６’・嵌合凹部
１１７・・蓋材
ａ・・・ドロ足部          ａ１・・ドロ足部の欠損部
ｂ・・・ライナー部        ｃ・・・裏板
ｄ・・・アクリル樹脂板    ｅ・・・止め金具
ｆ・・・吊り金具          ｇ・・・釘
【図１】
0003159933.tif 000003
【図２】
0003159933.tif 000004
【図３】
0003159933.tif 000005
【図４】
0003159933.tif 000006